(57)【要約】【課題】専門業者による取付工事をしなくても視界の妨げとならずに適切な方向の画像を撮影可能なドライブレコーダーを提供する。【解決手段】ドライブレコーダー１は、ハーフミラー１１の背面に液晶ディスプレイ１３を収容する本体ケース２０を備え、背面側には、運転席側となる左端にカメラユニット３０が車両前方にレンズを向けた状態となる様に取り付けられている。カメラユニット３０は、Ｐ１〜Ｐ６の６つの位置のいずれかにレンズを向けた状態とできる様に、上下左右に回動可能であると共に、これら６位置でレンズの向きを選択的に固定する嵌合用の凹凸をレンズ体６０とレンズホルダ７０に備えている。ルームミラーに対しては、背面の上下クランパ５１，５２で上下から挟み付ける様に取り付ける。【選択図】  図１
2014229049.tif 000002
【特許請求の範囲】
【請求項１】
カメラを有する電子機器であって、
運転席への対面角度を変更可能に設置された車両装備物に装着するための装着部と、
前記装着時に前記車両装備物の所定の端部位置を超えてはみ出すはみ出し部とを備え、
前記はみ出し部は前記はみ出し部のはみ出し方向とは異なる方向に突出した突出部を備え、前記突出部に前記カメラと前記カメラの撮影方向を変更する手段とを備えたこと
を特徴とする電子機器。
【請求項２】
前記装着部は前記車両装備物の一面側の少なくとも一部を被って装着する構成であり、
前記突出部は、前記車両装備物の一面側とは反対側の面を超える位置まで突出させており、前記カメラの撮影方向を変更する手段の少なくとも一部を前記超える位置に備えること
を特徴とする請求項１に記載の電子機器。
【請求項３】
前記突出部は、前記カメラの撮影方向を変更する手段を有する部分と前記はみ出し部に至る部分とをつなぐアーム部を備え、
前記カメラの撮影方向を変更する手段の少なくとも一部は前記アーム部よりも前記はみ出し方向とは逆方向側にはみ出した部分を有すること
を特徴とする請求項１または２に記載の電子機器。
【請求項４】
前記カメラの撮影方向を変更する手段は、上下左右方向に前記カメラの向きを変更可能であるとともに前記カメラの撮影時には前記カメラの向きが固定可能な半固定構造としたこと
を特徴とする請求項１〜３のいずれかに記載の電子機器。
【請求項５】
前記車両装備物の一面側を被う部分を有し、
前記装着部は、前記被う部分を前記車両装備物へ装着する構成であり、
当該被う部分の外面には、前記車両装備物の当該被われる部分に有する機能と同等の機能を備え、
前記被う部分の内部であって、前記被う部分の中心よりも前記はみ出し方向側に、前記カメラの映像信号を処理するための回路を備えること
を特徴とする請求項１〜４のいずれかに記載の電子機器。
【請求項６】
前記回路として、前記カメラの映像信号を処理する処理部、前記カメラの映像信号を表示する表示部、前記カメラの映像信号の記録部、前記カメラの映像信号の制御指示を入力する入力部の少なくともいずれか２つを備える制御基板を備えること
を特徴とする請求項５に記載の電子機器。
【請求項７】
前記カメラの撮影方向を変更する手段は、運転席への対面角度を変更可能に設置された車両装備物が運転時に位置する車両進行方向となす角度によって生じる前記カメラの撮影方向の前記車両進行方向とのずれを修正する方向へ、前記カメラの撮影方向を変更可能に構成したこと
を特徴とする請求項１〜６のいずれかに記載の電子機器。
【請求項８】
複数の異なる車種の車両に設置された同種の車両装備物に装着可能に構成しており、
前記装着部は、前記車両装備物を上下から挟み込んで装着する挟み込み部を２箇所に備え、
当該２箇所の挟み込み部の左右方向の中心位置から当該電子機器の左端までの長さと、当該２つの挟み込み部の左右方向の中心位置から当該電子機器の右端までの長さとを略同一とし、
当該２つの挟み込み部の中心位置が前記車両装備物の左右方向の中心位置になるように前記車両装備物に装着した場合であって、前記同種の車両装備物のうち対応可能な最大のサイズの車両装備物に装着した場合に前記突出部が当該車両装備物に近接位置になる構成としたこと
を特徴とする請求項１〜７のいずれかに記載の電子機器。
【請求項９】
運転席への対面角度を変更可能に設置された車両装備物に対して取り付けるドライブレコーダーであって、前記車両装備物に装着でき、当該装着時に運転席側にはみ出すはみ出し部を備えた本体と、前記はみ出し部の背面側にレンズ体を回動可能に保持するレンズホルダとを備え、対となり得る凹凸部により、前記レンズ体と前記レンズホルダとを所定範囲内の複数の回動位置において嵌合・離脱可能に構成されていること、を特徴とするドライブレコーダー。
【請求項１０】
ルームミラーに装着する本体の背面側に車両前方を向く様に設置されたレンズ体を備えたドライブレコーダーであって、（１）前記本体が前記ルームミラーの運転席側にはみ出すはみ出し部を備え、（２）該はみ出し部の背面側に前記レンズ体を回動可能に保持するレンズホルダを備え、（３）前記レンズ体と前記レンズホルダとで対となり得る凹凸部により、前記レンズ体と前記レンズホルダとを所定範囲内の複数の回動位置において嵌合・離脱可能に構成されていること、を特徴とするドライブレコーダー。
【請求項１１】
（４）前記本体は、前記ルームミラーの前面を覆い隠す面積を有すると共に前面にハーフミラーを備え、該ハーフミラーの背面に前記レンズ体で撮影した画像を発光表示する発光型表示装置を収容していること、を特徴とする請求項１０に記載のドライブレコーダー。
【請求項１２】
（５）前記発光型表示装置は、前記はみ出し部の前面に収容されていること、を特徴とする請求項１１に記載のドライブレコーダー。
【請求項１３】
（６）前記本体が、前記ルームミラーを上下から挟み付けるクランプ部材を備えていること、を特徴とする請求項１１〜１２のいずれかに記載のドライブレコーダー。
【請求項１４】
（７）前記レンズホルダと前記レンズ体は、球面同士が対面し、該球面に沿って前記レンズ体が回動し得る様に構成されていること、を特徴とする請求項９〜１３のいずれかに記載のドライブレコーダー。
【請求項１５】
（８）前記レンズホルダ及び前記レンズ体は、一方に、前記球面に沿って前記レンズ体を回動させる回動軸を備えると共に、他方に、前記回動軸を所定方向に移動可能な状態で支持する軸保持溝を備えていること、を特徴とする請求項１４に記載のドライブレコーダー。
【請求項１６】
（９）前記凹凸部は、前記軸保持溝内の複数の位置のいずれかにおいて前記回動軸を支持した状態とする様に形成されていること、を特徴とする請求項１５に記載のドライブレコーダー。
【請求項１７】
（１０）前記凹凸部は、前記軸保持溝内の所定位置において前記回動軸を支持した状態で、当該回動軸を中心に前記球面状カバー体を所定角度回動させた位置で嵌合する様に形成されていること、を特徴とする請求項１５又は１６に記載のドライブレコーダー。
【請求項１８】
（１１）前記レンズホルダが内面側を概略球面とする球面状ホールド部を備え、（１２）前記レンズ体が外面側を概略球面とする球面状カバー体を備え、（１３）前記球面状ホールド部の内面側の凹凸部と前記球面状カバー体の外面側の凹凸部の少なくとも一方が弾性変形によるクリック動作を行うことにより、互いの嵌合位置を変更可能に構成されていること、を特徴とする請求項９〜１７のいずれかに記載のドライブレコーダー。
【請求項１９】
（１３）前記球面状ホールド部は、車両前方側に、前記所定範囲内における前記複数の嵌合・離脱位置の外郭に対応する窓開口を備えていること、を特徴とする請求項１８に記載のドライブレコーダー。
【請求項２０】
（１４）前記球面状カバー体は、その球面を構成する球の中心線上で外へ突出する回動軸を備え、前記球面状ホールド部は、前記回動軸を所定方向に沿ってスライド可能な軸保持溝を備えていること、を特徴とする請求項１８又は１９に記載のドライブレコーダー。
【請求項２１】
（１５）前記球面状カバー体は、球面の一部を構成し、弾性を有するレバー部を備え、該レバー部に前記レンズ体側の凹凸部が形成されていること、を特徴とする請求項２０に記載のドライブレコーダー。
【請求項２２】
（１６）前記球面状ホールド部は、前記軸保持溝内における前記回動軸の複数のスライド位置に対して前記レンズ体側の凹凸部と嵌合し得る複数のホルダ側凹凸部を備えていること、を特徴とする請求項１８〜２１のいずれかに記載のドライブレコーダー。
【請求項２３】
（１７）前記球面状ホールド部は、前記軸保持溝内の所定位置において前記回動軸を中心に前記レンズ体カバーを回動させたときの複数の回動角度に対して前記レンズ体側の凹凸部と嵌合し得る複数のホルダ側凹凸部を備えていること、を特徴とする請求項１８〜２２のいずれかに記載のドライブレコーダー。
【請求項２４】
（１８）前記本体は、前記はみ出し部の前面側に操作スイッチを備えていること、を特徴とする請求項１〜２３のいずれかに記載のドライブレコーダー。
【請求項２５】
（１９）前記本体は、前記はみ出し部の運転席側に、記憶媒体装着部を備えていること、を特徴とする請求項１〜２４のいずれかに記載のドライブレコーダー。
【請求項２６】
（２０）前記本体は、前記はみ出し部の背面側に、電源コネクタを備えていること、を特徴とする請求項１〜２５のいずれかに記載のドライブレコーダー。
【請求項２７】
（２１）前記本体は、前記本体の下面側にマイクを備えていること、を特徴とする請求項１〜２６のいずれかに記載のドライブレコーダー。
【請求項２８】
（２２）前記レンズホルダは、その根元側に対して前記レンズ体を運転席側にずらして位置させる曲がりアームを備えていること、を特徴とする請求項１〜２７のいずれかに記載のドライブレコーダー。
【請求項２９】
（２３）前記曲がりアームの根元付近に、当該根元よりも運転席と反対側に位置する様に電源コネクタを備えていること、を特徴とする請求項２８に記載のドライブレコーダー。
【発明の詳細な説明】
【技術分野】
【０００１】
本発明は、車両における状況を撮影する電子機器等に関する。
【背景技術】
【０００２】
従来、フロントガラスの内面に貼り付ける様にして装着するタイプのドライブレコーダー（特許文献１）や、ルームミラー一体型としたドライブレコーダー（特許文献２）が知られている。
【先行技術文献】
【非特許文献】
【０００３】
【特許文献１】特開２ ０ ０ ６ − ３ ２ １ ４ ２ ３ 号公報
【特許文献２】特開２ ０ ０ ６ − １ ９ ３ ０ ５ ７ 号公報
【発明の概要】
【発明が解決しようとする課題】
【０００４】
特許文献１の様にフロントガラスに貼り付けるタイプのドライブレコーダーは、取り付け場所に困ったり視界の妨げとなる問題があった。特許文献２の様にルームミラー一体型のドライブレコーダーは、専門業者による取付工事が必用となる問題があった。
【０００５】
そこで、本発明は、専門業者による取付工事をしなくても視界の妨げとならずに適切な方向の画像を撮影可能な電子機器等を提供することを目的とする。
【課題を解決するための手段】
【０００６】
上記目的を達成するためになされた本発明の電子機器は、（ａ）カメラを有する電子機器であって、運転席への対面角度を変更可能に設置された車両装備物に装着するための装着部と、前記装着時に前記車両装備物の所定の側部位置を超えてはみ出すはみ出し部とを備え、前記はみ出し部は前記はみ出し部のはみ出し方向とは異なる方向に突出した突出部を備え、前記突出部に前記カメラと前記カメラの撮影方向を変更する手段とを備える構成とするとよい。
このようにすれば、専門業者による取付工事をしなくても視界の妨げとならずに適切な方向の画像を撮影可能な電子機器等を提供することができる。
これら車両装備物は、それ自体が必用なものとして装備されるから、車両装備物への装着時に前記車両装備物の所定の側部位置を超えてはみ出すはみ出し部があっても視界の大きな妨げにはなりにくい。また運転席に対して角度変更可能な構造である結果、車両装備物に対して装着した電子機器の角度も、車両装備物の角度調整に伴って変化するが、カメラの撮像方向を所望の方向に向けることができる。特にはみ出し方向とは異なる方向に突出した突出部にカメラとカメラの撮影方向を変更する手段を備えることから、カメラやカメラの撮影方向を変更する手段のサイズが大きくなっても視界の大きな妨げにはなりにくい。
カメラとしては、車両における状況を撮影するカメラとするとよく、特に、車室内の状況、例えば運転者の状況を撮影するカメラや、車室外の状況、例えば、車両の外部の周辺の状況を撮影するカメラとするとよく、特に車両前方を撮影するカメラとするとよい。
車両装備物としては、例えば、車室内に装備される物とするとよい。また例えば車両自体に予め装備されているものとするとよい。特に車両自体に予め装備されているものであって車室内に装備される物とするとよい。例えば、ルームミラーとするとよい。
所定の端部位置は、車両装備物の端部のうち車両の運転の妨げに相対的になりにくい端部とするとよい。例えば、車両装備物がルームミラーであれば、ルームミラーの上端、左端、右端のいずれかとするとよい。例えばルームミラーの場合、例えば下端位置よりも上端位置、左端位置、右端位置へのはみ出しは車両の運転の妨げになりにくい端部であるので好ましい。また、所定の端部位置は、カメラによる撮像方向の見通しの妨げになりにくい端部とするとよい。例えばルームミラーの場合、上端位置はフロントガラス上部にスモーク部分等がありカメラによる撮像方向の見通しの妨げになりやすいため、上端以外の端部とするとよい。
装着部は、複数の異なる車種の車両に設置された同種の車両装備物に装着可能に構成するとよい。特に、同種の車両装備物のうち対応可能な最大のサイズのものから、同種の車両装備物のうち対応可能な最小のサイズのものまで装着可能に装着位置を調整可能に構成するとよい。対応可能なサイズはできるだけ多くの車種の車両装備物に対応できるサイズに決定するとよい。
突出部の突出方向は、特にはみ出し部のはみ出し方向の成分を含まない方向とするとよい。このようにすれば、特に運転の妨げになりにくい。例えば、はみ出し部のはみ出し方向と直交する方向とするとよい。このようにすれば、特に運転の妨げになりにくいとともに、突出部が電子機器にあたってしまうことを防止できる。
（ｂ）前記装着部は前記車両装備物の一面側の少なくとも一部を被って装着する構成であり、前記突出部は、前記車両装備物の一面側とは反対側の面を超える位置まで突出させており、前記カメラの撮影方向を変更する手段の少なくとも一部を前記超える位置に備える構成とするとよい。
このようにすれば、車両装備物にカメラの撮影方向を変更する手段が当たりにくくなる。特に、前記カメラの撮影方向を変更する手段の全部を前記超える位置に備える構成とすると、例えば車両装備物にカメラの撮影方向を変更する手段が当たらなくなる。
特に、（ｃ）前記突出部は、前記カメラの撮影方向を変更する手段を有する部分と前記はみ出し部に至る部分とをつなぐアーム部を備え、前記カメラの撮影方向を変更する手段の少なくとも一部は前記アーム部よりも前記はみ出し方向とは逆方向側にはみ出した部分を有する構成の場合に、カメラの撮影方向を変更する手段が車両装備物に当たりにくくなる。例えば、突出部を、カメラやカメラの撮影方向を変更する手段を有する球状の部分と、その球状部分の直径よりも小さな幅で支えるアーム部から構成し、球の一部はアーム部よりもはみ出し方向とは逆方向側にはみ出した部分として構成するとよい。
（ｄ）前記カメラの撮影方向を変更する手段は、上下左右方向に前記カメラの向きを変更可能であるとともに前記カメラの撮影時には前記カメラの向きが固定可能な半固定構造を備える構成とするとよい。
このようにすれば、車両装備物の運転席への対面角度を変更した場合に、容易にカメラの向きを調整しなおすことができる。
（ｅ）前記車両装備物の一面側を被う部分を有し、前記装着部は、前記被う部分を前記車両装備物へ装着する構成であり、当該被う部分の外面には、前記車両装備物の当該被われる部分に有する機能と同等の機能を備え、前記被う部分の内部であって、前記被う部分の中心よりも前記はみ出し方向側に、前記カメラの映像信号を処理するための回路を備える構成とするとよい。
このようにすれば、電子機器が車両装備物の当該被われる部分に有する機能と同等の機能を実現できるとともに、例えばカメラの映像信号の劣化等を防止できる。特に被う部分の中心よりも前記はみ出し方向側にのみ、前記カメラの映像信号を処理するための回路を備える構成とするとよい。例えば、前記車両装備物はルームミラーであり、前記同等の機能はミラー機能とするとよい。
特に、（ｆ）前記回路として、前記カメラの映像信号を処理する処理部、前記カメラの映像信号を表示する表示部、前記カメラの映像信号の記録部、前記カメラの映像信号の制御指示を入力する入力部の少なくともいずれか２つを備える制御基板を備える構成とするとよい。
特に、前記カメラの映像信号を処理する処理部、前記カメラの映像信号を表示する表示部、前記カメラの映像信号の記録部、前記カメラの映像信号の制御指示を入力する入力部のすべてを備える制御基板を前記被う部分の内部であって、前記被う部分の中心よりも前記はみ出し方向側にのみ備える構成とするとよい。
（ｇ）前記カメラの撮影方向を変更する手段は、運転席への対面角度を変更可能に設置された車両装備物が運転時に位置する車両進行方向となす角度によって生じる前記カメラの撮影方向の前記車両進行方向とのずれを修正する方向へ、前記カメラの撮影方向を変更可能に構成とするとよい。
（ｈ）複数の異なる車種の車両に設置された同種の車両装備物に装着可能に構成しており、前記装着部は、前記車両装備物を上下から挟み込んで装着する挟み込み部を２箇所に備え、当該２箇所の挟み込み部の左右方向の中心位置から当該電子機器の左端までの長さと、当該２つの挟み込み部の左右方向の中心位置から当該電子機器の右端までの長さとを略同一とし、当該２つの挟み込み部の中心位置が前記車両装備物の左右方向の中心位置になるように前記車両装備物に装着した場合であって、前記同種の車両装備物のうち対応可能な最大のサイズの車両装備物に装着した場合に前記突出部が当該車両装備物に近接位置になる構成するとよい。
このようにすれば、対応可能な最大のサイズの車両装備物に当たることなく、例えば、複数の異なる車種の車両に設置された同種の車両装備物を、車両装備物の中心位置で固定することが容易にできる。したがって、例えば、取り付け時に電子機器が車両装備物に対して偏って装着されて、違和感が生じることを防止できる。
はみ出し部のはみ出し量は、例えば、同種の車両装備物のうち対応可能な最大のサイズの車両装備物の所定の端部位置から、カメラとカメラの撮影方向を変更する手段とを支持するのに必要な幅であって、できる限り少ない幅とするとよい。このようにすれば、車両装備物に電子機器があたってしまうことを防止できるとともに、特に運転の妨げになりにくい。
例えば、図１６に示すように構成するとよい。図１６は、複数の異なる車種の車両に設置された同種のルームミラーに装着可能に構成しており、装着部は、ルームミラーを上下から挟み込んで装着する挟み込み部を２箇所に備え、当該２箇所の挟み込み部の左右方向の中心位置からこの電子機器の左端までの長さと、当該２つの挟み込み部の左右方向の中心位置から当該電子機器の右端までの長さとを略同一の１４２．５ｍｍとしている。当該２つの挟み込み部の中心位置がこのルームミラーの左右方向の中心位置になるようにルームミラーに装着した場合であって、同種のルームミラーのうち対応可能な最大のサイズのルームミラーとして左右方向の幅が２４ｃｍのルームミラーに装着したものである。このとき、ルームミラーの図示右側には２２．５ｍｍのはみ出し部が形成されると共に、このはみ出し部から本体背面側に突出する突出部が図示のようにルームミラーに対して近接した位置になる構成するとよい。このとき、突出部は、カメラがルームミラーの背面を交わす位置で支持し得る様な長さとするとよく、場合によってはカメラの内側の外面に干渉を避ける窪みを設けてもよい。もちろんルームミラーと突出部との間に無駄にならない程度の空間を設けてもよい。
（ｉ）より具体的には、以下のように構成してもよい。もちろん以下の例で運転席としたものを助手席としてもよい。
上記目的を達成するためになされた本発明のドライブレコーダーは、運転席への対面角度を変更可能に設置された車両装備物に対して取り付けるドライブレコーダーであって、前記車両装備物に装着でき、当該装着時に運転席側にはみ出すはみ出し部を備えた本体と、前記はみ出し部の背面側にレンズ体を回動可能に保持するレンズホルダとを備え、対となり得る凹凸部により、前記レンズ体と前記レンズホルダとを所定範囲内の複数の回動位置において嵌合・離脱可能に構成されていること、を特徴とする。
【０００７】
運転席への対面角度を変更可能に設置された車両装備物としては、例えば、ルームミラーをあげることができる。
【０００８】
従って、より具体的には、ルームミラーに装着する本体の背面側に車両前方を向く様に設置されたレンズ体を備えたドライブレコーダーであって、（１）前記本体が前記ルームミラーの運転席側にはみ出すはみ出し部を備え、（２）該はみ出し部の背面側に前記レンズ体を回動可能に保持するレンズホルダを備え、（３）前記レンズ体と前記レンズホルダとで対となり得る凹凸部により、前記レンズ体と前記レンズホルダとを所定範囲内の複数の回動位置において嵌合・離脱可能に構成されていること、を特徴とするドライブレコーダーとすることができる。
【０００９】
なお、ルームミラー以外にも、例えば、フロントグリル上に取り付けて用いるカーナビゲーション装置や、天井から吊り下がる様に設置されるカーテレビも運転席への対面角度を変更可能な車両装備物にあげることができる。これら車両装備物に対する装着であるから、後付でドライブレコーダーを設置することができる。従って、専門業者にドライブレコーダーの設置を依頼しなくてもよい。
【００１０】
これら車両装備物は、それ自体が必用なものとして装備されるから、これに連続して運転席側にはみ出し部があっても視界の大きな妨げにはならない反面、上述の様に運転席に対して角度変更可能な構造である結果、車両装備物に対して装着した本体の角度も、車両装備物の角度調整に伴って変化し、レンズ体の撮像方向が変化することになる。
【００１１】
しかし、本発明によれば、レンズ体は、はみ出し部の背面に備えられたレンズホルダに対して回動させて撮像方向を変更することができるから、撮像方向を最適な方向に調整することができる。しかも、本発明によれば、レンズ体とレンズホルダとを所定範囲内の複数の回動位置において嵌合・離脱可能に構成しているので、車両装備物の角度調整後にレンズ体の角度を調整し、最適な方向に向けた状態にレンズ体を固定することができる。そして、一旦固定したら、凹凸部の嵌合を解除する操作をしないとレンズ体を回動させることができないから、不用意に撮像方向が変わってしまうことがない。また、運転席側に位置するはみ出し部の背面にレンズ体が位置しているから、上述の回動操作を運転席から手を伸ばして容易に実行することができる。
【００１２】
ここで、装着対象をルームミラーとする場合、（４）前記本体は、前記ルームミラーの前面を覆い隠す面積を有すると共に前面にハーフミラーを備え、該ハーフミラーの背面に前記レンズ体で撮影した画像を発光表示する発光型表示装置を収容していること、という構成をも採用するとよい。
【００１３】
ハーフミラーの背面に発光型表示装置を収容することにより、ルームミラーの角度調整後にレンズ体の角度を調整する際、この発光型表示装置に画像を表示し、レンズ体を回動させて変化する画像を見ながら最適な位置を選定することができるからである。なお、発光型表示装置をオフにすれば、ハーフミラー全体を後方確認様に利用することができる。
【００１４】
この場合、特に、（５）前記発光型表示装置は、前記はみ出し部の前面に収容されていること、という構成をも採用するとよい。
【００１５】
ルームミラーの運転席側にレンズ体及び発光型表示装置を位置させる結果、レンズ体の回動操作の際に画像を見やすくなるからである。また、はみ出し部に電子回路等の部品をまとめて収容することができ、コンパクトな設計が可能となる利点もある。
【００１６】
ハーフミラーを備えてルームミラーに装着するドライブレコーダーは、さらに、（６）前記本体は、前記ルームミラーを上下から挟み付けるクランプ部材を備えていること、という構成をも採用するとよい。
【００１７】
クランプ部材でルームミラーを上下から挟み付けることにより、ドライブレコーダーの重量はルームミラーで支えられることとなる。また、ルームミラーの上下の縁は十分な長さがあるから、クランプ部材を複数個左右に離して設けることも可能であり、安定した装着状態とすることができる。
【００１８】
また、これら本発明のドライブレコーダーは、（７）前記レンズホルダと前記レンズ体は、球面同士が対面し、該球面に沿って前記レンズ体が回動し得る様に構成されていること、という構成をも採用するとよい。
【００１９】
ある嵌合位置から別の嵌合位置へと回動させる操作は、球面に沿ったものとなり、操作をスムーズに行うことができるからである。なお、本発明では、複数の位置で嵌合・離脱可能とすることにより、このスムーズな動きでありながら、複数の角度位置を選択する操作によって撮像方向を調整することとなり、位置決めを速やかに実行することができる。
【００２０】
この場合、（８）前記レンズホルダ及び前記レンズ体は、一方に、前記球面に沿って前記レンズ体を回動させる回動軸を備えると共に、他方に、前記回動軸を所定方向に移動可能な状態で支持する軸保持溝を備えていること、という構成をも採用するとよい。
【００２１】
軸保持溝に沿って回動軸を移動させることにより、規制された範囲内で角度を変更することができる。この規制された範囲内での角度変更操作となることにより、調整作業においてどちらへ回動させたらどの方向に向くかが定まり、撮像方向の調整作業が容易となる。
【００２２】
この場合、さらに、（９）前記凹凸部は、前記軸保持溝内の複数の位置のいずれかにおいて前記回動軸を支持した状態とする様に形成されていること、という構成をも備えるとよい。
【００２３】
かかる構成をも備えることにより、軸保持溝に沿った方向への位置決めを多段階で確定することができ、当該方向への角度調整を速やかに終えることができる。
【００２４】
これら回動軸を軸保持溝にて支持する構成をも備える場合、さらに、（１０）前記凹凸部は、前記軸保持溝内の所定位置において前記回動軸を支持した状態で、当該回動軸を中心に前記球面状カバー体を所定角度回動させた位置で嵌合する様に形成されていること、という構成をも採用するとよい。
【００２５】
かかる構成をも備えることにより、軸保持溝に対して交差する方向へも多段階の位置決めを確定することができ、当該方向への角度調整を速やかに終えることができる。なお、（９）及び（１０）を備える場合、直交方向への多段階の位置決めが可能となる結果、角度調整位置を多くすることができ、例えば、左右方向に多段階、上下方向にも多段階として、左上、左下、右上、右下などへと、レンズ体を速やかに回動させることが可能となる。
【００２６】
これら本発明のドライブレコーダーは、より具体的には、（１１）前記レンズホルダが内面側を概略球面とする球面状ホールド部を備え、（１２）前記レンズ体が外面側を概略球面とする球面状カバー体を備え、（１３）前記球面状ホールド部の内面側の凹凸部と前記球面状カバー体の外面側の凹凸部の少なくとも一方が弾性変形によるクリック動作を行うことにより、互いの嵌合位置を変更可能に構成されていること、という構成をも備えるとよい。
【００２７】
かかる構成を採用することにより、レンズ体はレンズホルダ内に嵌り込んだ状態となり、角度調整作業時にレンズ体が脱落するといったことを起こすことがない。そして、クリック動作での嵌合・離脱であるから、レンズ体がレンズホルダ内に嵌り込んでいても、手の感じるクリック感により、位置決め完了を容易に知ることができる。
【００２８】
この場合、（１３）前記球面状ホールド部は、車両前方側に、前記所定範囲内における前記複数の嵌合・離脱位置の外郭に対応する窓開口を備えていること、という構成をも備えるとよい。
【００２９】
所定範囲内における複数の嵌合・離脱位置の外郭に対応する窓開口を備えることにより、レンズ体をレンズホルダ内に嵌り込ませていても、撮影不能なデッドゾーンができない様にレンズ体を回動させることができるからである。
【００３０】
これらレンズ体をレンズホルダ内に嵌り込ませる様にしたドライブレコーダーにおいては、（１４）前記球面状カバー体は、その球面を構成する球の中心線上で外へ突出する回動軸を備え、前記球面状ホールド部は、前記回動軸を所定方向に沿ってスライド可能な軸保持溝を備えていること、という構成をも採用するとよい。
【００３１】
これらレンズ体をレンズホルダ内に嵌り込ませる様にしたドライブレコーダーにおいては、より具体的には、さらに、（１４）前記球面状カバー体は、その球面を構成する球の中心線上で外へ突出する回動軸を備え、前記球面状ホールド部は、前記回動軸を所定方向に沿ってスライド可能な軸保持溝を備えていること、という構成をも採用するとよい。
【００３２】
かかる構成とすることにより、球面状カバー体を射出成形で製造する場合に肉厚にしたり、分割組立形状にしたり、中子として割型を使用したりするといった必用がなく、製造が容易となるからである。
【００３３】
この場合、（１５）前記球面状カバー体は、球面の一部を構成し、弾性を有するレバー部を備え、該レバー部に前記レンズ体側の凹凸部が形成されていること、という構成をも採用するとよい。
【００３４】
球面状カバー体は内側に位置するから、レバー部が内側に弾性変形することで凹凸部を離脱させ、弾性によって外側へと復帰することにより凹凸部を嵌合させることができ、クリック動作による嵌合・離脱を、レバー部の弾性変形を利用したものとすることができるからである。
【００３５】
これらレンズ体をレンズホルダ内に嵌り込ませる様にしたドライブレコーダーにおいては、さらに具体的には、（１６）前記球面状ホールド部は、前記軸保持溝内における前記回動軸の複数のスライド位置に対して前記レンズ体側の凹凸部と嵌合し得る複数のホルダ側凹凸部を備えていること、という構成をも採用するとよい。
【００３６】
かかる構成を採用することにより、軸保持溝に沿ってレンズ体を回動させ、位置決めを行うことができる。
【００３７】
これらレンズ体をレンズホルダ内に嵌り込ませる様にしたドライブレコーダーにおいては、さらに具体的には、（１７）前記球面状ホールド部は、前記軸保持溝内の所定位置において前記回動軸を中心に前記レンズ体カバーを回動させたときの複数の回動角度に対して前記レンズ体側の凹凸部と嵌合し得る複数のホルダ側凹凸部を備えていること、という構成をも採用するとよい。
【００３８】
かかる構成を採用することにより、軸保持溝に交差する方向へレンズ体を回動させ、位置決めを行うことができる。
【００３９】
これら本発明のドライブレコーダーは、さらに、（１８）前記本体は、前記はみ出し部の前面側に操作スイッチを備えていること、という構成をも採用するとよい。操作スイッチも運転席側に位置することとなり、ドライブレコーダー自体の操作も運転席から容易に実行できるからである。
【００４０】
これら本発明のドライブレコーダーは、さらに、（１９）前記本体は、前記はみ出し部の運転席側に、記憶媒体装着部を備えていること、という構成をも採用することで、とよい。記憶媒体の脱着を運転席から容易に実行することができるからである。
【００４１】
これら本発明のドライブレコーダーは、さらに、（２０）前記本体は、前記はみ出し部の背面側に、電源コネクタを備えていること、という構成をも採用するとよい。電源コネクタの脱着も運転席から用意に実行することができるからである。
【００４２】
これら本発明のドライブレコーダーは、さらに、（２１）前記本体は、前記本体の下面側にマイクを備えていること、という構成をも採用するとよい。音声の記録もできるからである。
【００４３】
これら本発明のドライブレコーダーは、さらに、（２２）前記レンズホルダは、その根元側に対して前記レンズ体を運転席側にずらして位置させる曲がりアームを備えていること、という構成をも採用するとよい。装着対象物からの本体のはみ出し量を抑制することができるからである。
【００４４】
この場合、さらに、（２３）前記曲がりアームの根元付近に、当該根元よりも運転席と反対側に位置する様に電源コネクタを備えていること、という構成をも採用するとよい。アームの根元がガードとなり、装着対象物の角度を変更したり、レンズ体の向きを変更する際に、電源コネクタに不用意に手が触れて電源コードを脱落させるといったことが生じ難くなるからである。
【発明の効果】
【００４５】
本発明によれば、専門業者による取付工事をしなくても視界の妨げとならずに適切な方向の画像を撮影可能なドライブレコーダーを提供することができる。
【図面の簡単な説明】
【００４６】
【図１】実施例１のドライブレコーダーを示し、（Ａ）は正面図、（Ｂ）は正面方向から見た斜視図、（Ｃ）は背面方向から見た斜視図、（Ｄ）はカメラユニットを撮影方向を正面とした正面図、（Ｅ）はレンズ体の向きを変更する様子を示す斜視図である。
【図２】実施例１のドライブレコーダーの六面図である。
【図３】実施例１のドライブレコーダーを示し、（Ａ）は分解斜視図、（Ｂ）は上下のクランパの装着状態を説明する側面図である。
【図４】実施例１のドライブレコーダーのカメラユニットを示し、（Ａ）は取り付け部側から見た斜視図、（Ｂ）は分解斜視図、（Ｃ）はレンズ体の分解斜視図である。
【図５】実施例１のドライブレコーダーのレンズカバーについて、車両前方側から見た状態を正面とする六面図である。
【図６】実施例１のドライブレコーダーのレンズ体の回動範囲と回動時の動きとを示す説明図である。
【図７】実施例１のドライブレコーダーの装着手順等を示す説明図である。
【図８】実施例１のドライブレコーダーのデータ記録、データ読み出しの手順等を示す説明図である。
【図９】実施例１のドライブレコーダーにおける動画記録モードの操作手順等を示す説明図である。
【図１０】実施例１のドライブレコーダーにおける動画記録モードにおける設定変更の操作手順等を示す説明図である。
【図１１】実施例１のドライブレコーダーにおけるシステム設定変更の操作手順等を示す説明図である。
【図１２】実施例１のドライブレコーダーにおける静止画記録モードの操作手順等を示す説明図である。
【図１３】実施例１のドライブレコーダーにおける再生モードの操作手順等を示す説明図である。
【図１４】実施例１のドライブレコーダーにおける再生モードの設定変更並びに、ＳＤカードのフォーマットの操作手順等を示す説明図である。
【図１５】実施例１のドライブレコーダーにおけるレンズへの光入射角の調整範囲を示す説明図である。
【図１６】複数の異なる車種の車両に設置された同種のルームミラーのうち対応可能な最大のサイズのルームミラーに装着した場合のドライブレコーダーのルームミラーへの装着状態を示す底面図である。
【発明を実施するための形態】
【００４７】
以下、本発明の実施形態として、ルームミラーに装着して用いるドライブレコーダーを実施例として説明する。
【実施例１】
【００４８】
実施例１は、右ハンドル車のルームミラーに装着して用いるのに適するドライブレコーダーである。ドライブレコーダー１は、図１〜図３に示す様に、車室内から見た正面のほぼ全体をハーフミラー１１とされ、正面右端側に操作ボタン１２を備え、この操作ボタン１２の直近左側のハーフミラー背面に２．５インチフルカラーＴＦＴ液晶ディスプレイ１３を収容した本体ケース２０を備えている。操作ボタン１２の一番上１２ａは電源ボタンであり、裏側には緑色と赤色のＬＥＤが設置されていて、電源オンのときに緑色ＬＥＤを、録画時に赤色ＬＥＤを点灯する様に構成されている。
【００４９】
本体ケース２０の背面側には、運転席側となる左端にカメラユニット３０が車両前方にレンズを向けた状態となる様に取り付けられている。カメラユニット３０の直下にはスピーカーの放音孔４１が備えられ、その内側下辺りにＤＣジャック４２が備えられている。また、本体ケース２０の中央下面にはマイクの集音孔４３が備えられると共に、幅方向中心に対して左右ほぼ対称となる位置の背面上下に、上クランパ５１，５１と下クランパ５２，５２が上下対面する様に備えられている。さらに、本体ケース２０の運転席側側面にはマイクロＳＤカード挿入口４５が備えられている。
【００５０】
本体ケース２０は、図３に示す様に、背面側に位置するボトムケース２１と、このボトムケース２１の前面に裏側からネジ止め固定されるトップケース２２とから構成されている。ボトムケース２１とトップケース２２の間には、プリント配線基板１４が収容される。このプリント配線基板１４の前面側には、前述の操作ボタン１２及び２．５インチフルカラーＴＦＴ液晶ディスプレイ１３が設置され、背面側にはＳＤスロット１６、スピーカ１７等が設置されている。
なお、プリント配線基板１４の背面側には、マイコン回路も備えられている。このマイコン回路がカメラの映像信号を処理する処理部、液晶ディスプレイ１３がカメラの映像信号を表示する表示部、ＳＤスロット１６がカメラの映像信号の記録部、操作ボタン１２がカメラの映像信号の制御指示を入力する入力部となり、本実施例ではプリント配線基板１４に、これら「処理部」、「表示部」、「記録部」、「入力部」が備えられている。
【００５１】
トップケース２２の右端部分には、操作ボタン１２を露出させる開口が備えられると共にボタンカバー２３が装着され、このボタンカバー２３の前面に各操作ボタンの機能を印刷すると共にＬＥＤの明かりを透過させる透明部を有する表示フィルム１８が貼り付けられる。トップケース２２のボタンカバー２３よりも左側の領域の前面側にハーフミラー１１が貼り付けられる。トップケース２２には、このハーフミラー１１が貼り付けられる領域の右端部分の液晶ディスプレイ１３正面に当たる部分に表示窓２２ａが設けられている。
【００５２】
ボトムケース２１の右端（運転席側）には、プリント配線基板１４とカメラユニット３０とを接続するケーブルを通すための開口２１ａが形成されると共に、当該開口２１ａの右側側面に前述のＳＤカード挿入口４５を構成する凸部２１ｂが形成されている。また、背面カバー２１の左側には通気孔２１ｃが備えられている。
【００５３】
ボトムケース２１の左右から約１／４辺りの位置には、背面下部に後方へ突出する下裏突起２１ｄが形成されると共に、その上方の位置の背面上部へと突起部分２４ａを突出させる様に逆Ｌ型金具２４が前面側から取り付けられる。この逆Ｌ型金具２４は、ボトムカバー２１の前面下部に形成されたフック２１ｅとの間をコイルバネ２５で連結され、下方に付勢した状態で取り付けられる。これら逆Ｌ型金具２４の突起部分２４ａ及びボトムケース２１の下裏突起２１ｄには、それぞれ、前述の上クランパ５１及び下クランパ５２を構成するラバー体が装着される。
【００５４】
本体ケース２０内には、これらの他に、クッション部材２６，２７が収容される共に、下部中央にマイク１８も収容される。
【００５５】
カメラユニット３０は、図４に示す様に、レンズ体６０と、このレンズ体６０を回動可能に保持するレンズホルダ７０とから構成される。
【００５６】
レンズ体６０は、半球状のレンズカバー６１の内部にカメラ本体６２を収納し、プリント配線基板６３をレンズカバー６１の開口側を塞ぐ様に取り付けた組立体となっている。
【００５７】
レンズカバー６１には、図４，図５に示す様に、球の中心を通る回動軸６４Ｌ，６４Ｒが外へ突出する様に形成されている。そして、これら左右の回動軸６４Ｌ，６４Ｒのそれぞれの下方には、半球体の開口側から前方へ向かう二条の切り込みにより形成されたレバー部６５Ｌ，６５Ｒが備えられている。これら左右のレバー部６５Ｌ，６５Ｒの外面には、半球状凸部６６Ｌ，６６Ｒが備えられている。なお、このレンズカバー６１は、合成樹脂射出成形体として製造され、レバー部６５Ｌ，６５Ｒは押圧力によって弾性変形する。なお、レンズカバー６１の前端には、円形リング状のレンズ枠６７が前方へと突出形成されている。
【００５８】
レンズホルダ７０は、図４に示す様に、半割とされたレフト部材７１とライト部材７２とを組み立てたときに、車両前方側に球状のホールド部７３を、本体ケース２０側に取り付けアーム部７４を形成する様に構成されている。レフト部材７１とライト部材７２は、組み立てたときにアーム部７４が根元側に対してホールド部７３を運転席側にずれた位置に支持する曲がりアームとされている。
【００５９】
レフト部材７１、ライト部材７２のホールド部７３Ｌ，７３Ｒの内面側の上下方向中央部には、所定範囲に渡るスライド溝７５Ｌ，７５Ｒが所定深さで外へ飛び出す様に形成されている。また、このスライド溝７５Ｌ，７５Ｒの下方の内面には、６個の半球状凹入部７６Ｌ，７６Ｒが外へ飛び出す様に形成されている。この６個の半球状凹入部７６Ｌ，７６Ｒは、スライド溝７５Ｌ，７５Ｒとの距離が若干変化させられていて、ジグザグ状に並んでいる。これらレフト部材７１、ライト部材７２も合成樹脂射出成形によって製造されている。
【００６０】
また、レフト部材７１、ライト部材７２のホールド部７３Ｌ，７３Ｒの前端には、組み立てたときに図１（Ｄ）に示す様なコーナーＲを有する横長矩形状のレンズ窓７７を形成する様に、切欠部７７Ｌ，７７Ｒが備えられている。なお、レフト部材７１、ライト部材７２のアーム部７４Ｌ，７４Ｒの根元側には、組み立てたときにレンズ体６０側のコネクタブロック６８に接続するケーブルを挿通させる挿通口７８を形成する様に、切欠部７８Ｌ，７８Ｒが備えられている。また、レフト部材７１のホールド部根元付近には内側へ窪ませた円形の窪み７９が形成されている。この窪み７９は、装着時のルームミラーとの干渉を避けるのに役立つ。
ここで、プリント配線基板１４とカメラユニット３０とを接続するケーブルは、挿通口７８からカメラ本体３０内に挿入され、カメラ本体６２側のプリント配線基板６３のコネクタブロック６８に接続される。カメラユニット３０の取付位置側にプリント配線基板１４を配置していることで、ノイズを抑えることができる。
【００６１】
レンズカバー６１の外面の径は、レンズホルダ７０のホールド部７３の内面径よりも若干小さく形成され、組み付けられた状態において、レンズカバー６１をホールド部７３の内側で回動させることができる。このとき、レンズカバー６１は、その回動軸６４Ｌ，６４Ｒが、ホールド部７３のスライド溝７５Ｌ，７５Ｒに嵌り込む様に組み付けられる。また、このとき、レンズカバー６１のレンズ枠６７は、ホールド部７３のレンズ窓７７に嵌り込む。そして、レバー部６５Ｌ，６５Ｒの外面の凸部６６Ｌ，６６Ｒは、ホールド部７３の内面の６個の凹入部７６Ｌ，７６Ｒの一つと嵌合する。なお、組立初期位置は、図１（Ｄ）に示した様に、レンズ枠６７がレンズ窓７７の中央に位置する状態とし、このとき、回動軸６４Ｌ，６４Ｒはスライド溝７５Ｌ，７５Ｒの長さ中心に位置する。また、レンズカバー６１側の凸部６６Ｌ，６６Ｒは、６個の凹入部７６Ｌ，７６Ｒの内の前方から３つ目と嵌合する。
【００６２】
レンズカバー６１は、左右方向に回動させることにより、回動軸６４Ｌ，６４Ｒがスライド溝７５Ｌ，７５Ｒの端から端まで移動する。また、レンズカバー６１は、回動軸６４Ｌ，６４Ｒを中心として上下方向にもが回動する。これらの動作により、本実施例では、図１（Ｅ）に示したＰ１〜Ｐ６の６位置のいずれかにおいてレンズ枠６７を固定した状態を実現することができる、
【００６３】
このＰ１〜Ｐ６の６位置での固定を実現するときのレンズカバー６１の回動動作の様子を図６に示す。ホールド部７３の６個の凹入部７６Ｌ，７６Ｒの内の前端から３個目にレンズカバー６１側の凸部６６Ｌ，６６Ｒが嵌合した状態において、レンズ枠６７をレンズ窓７７の中央上とするＰ１位置が実現される。
【００６４】
初期位置Ｐ１からレンズカバー６１を運転席側に回動させると、レフト部材７１の６個の凹入部７６Ｌの内の１番前にレンズカバー６１の左側の凸部６６Ｌが嵌合すると共に、ライト部材７２の６個の凹入部７６Ｒの内の後ろから２つ目にレンズカバー６１の右側の凸部６６Ｒが嵌合し、レンズ枠６７をレンズ窓７７の左上とするＰ２位置が実現される。
【００６５】
初期位置Ｐ１からレンズカバー６１を運転席から離れる方向に回動させると、レフト部材７１の６個の凹入部７６Ｌの内の後ろから２つ目にレンズカバー６１の左側の凸部６６Ｌが嵌合すると共に、ライト部材７２の６個の凹入部７６Ｒの内の１番前にレンズカバー６１の右側の凸部６６Ｒが嵌合し、レンズ枠６７をレンズ窓７７の右上とするＰ３位置が実現される。
【００６６】
初期位置Ｐ１からレンズカバー６１を下方に回動させると、６個の凹入部７６Ｌ，７６Ｒの内の前端から４個目にレンズカバー６１側の凸部６６Ｌ，６６Ｒが嵌合した状態となり、レンズ枠６７をレンズ窓７７の中央下とするＰ４位置が実現される。
【００６７】
左上位置Ｐ２からレンズカバー６１を下方に回動させると、レフト部材７１の６個の凹入部７６Ｌの内の前から２つ目にレンズカバー６１の左側の凸部６６Ｌが嵌合すると共に、ライト部材７２の６個の凹入部７６Ｒの内の一番後ろにレンズカバー６１の右側の凸部６６Ｒが嵌合し、レンズ枠６７をレンズ窓７７の左上とするＰ５位置が実現される。
【００６８】
右上位置Ｐ３からレンズカバー６１を下方に回動させると、レフト部材７１の６個の凹入部７６Ｌの内の一番後ろにレンズカバー６１の左側の凸部６６Ｌが嵌合すると共に、ライト部材７２の６個の凹入部７６Ｒの内の前から２つ目にレンズカバー６１の右側の凸部６６Ｒが嵌合し、レンズ枠６７をレンズ窓７７の左上とするＰ６位置が実現される。
【００６９】
次に、実施例１のドライブレコーダー１の装着手順を、図７に基づいて説明する。まず、ルームミラー８１の上縁に上クランパ５１を当てて本体を下方向に少し引きつつ前方へと回動させる。このとき、上クランパ５１を下方に付勢しているコイルバネ２５が伸び、下クランパ５２をルームミラー８１の下側へと容易に位置させることができる。そして、本体を下へ引いていた力を抜いてやれば、コイルバネ２５が縮み、上クランパ５１と下クランパ５２で上下からルームミラー８１を挟み付ける様にしてドライブレコーダー１が装着される。なお、上下のクランパ５１，５２はラバー体で形成されているので、ラバー体の弾性変形も作用し、しっかりかつソフトにルームミラー８１を上下から挟み付けた状態となる。
【００７０】
なお、ドライブレコーダー１を装着する際には、本体の中心をルームミラー８１の中心と合わせる様にする。ドライブレコーダー１の幅は、ルームミラー８１の幅よりも長く、カメラユニット２５がルームミラー８１の運転席側にはみ出した位置になる様な幅とされている。また、運転席の反対側のはみ出し量も同じ程度とされ、通気孔２１ｃもルームミラー８１の運転席と反対側のはみ出し部分に位置する装着状態となる。
【００７１】
この結果、ルームミラー８１は前面を覆い隠されることとなるが、ドライブレコーダー１の前面はハーフミラー１１で構成されているから、このハーフミラー１１がルームミラー８１が果たすべき後方確認用のミラーとして機能する。そこで、このハーフミラー１１による後方確認が適切となる様に、ドライブレコーダー１の向きを調整する。この向きの調整は、ルームミラー８１が向き調整可能な機構を有していることを利用して実行される。
【００７２】
なお、電源は、シガーライターソケット８２に電源コード８３の一端を接続し、他端をＤＣジャック４２に接続して確保する。
【００７３】
こうして電源が確保できたら、操作ボタン１２を操作してドライブレコーダー１を録画モードとする。すると、ハーフミラー１１の背面に収容されている液晶ディスプレイ１３にカメラで撮影している画像が表示され、ハーフミラー１１を透過して運転席でこれを見ることができる状態となる。このとき見えている画像が、ドライブレコーダー１で記録すべき方向の画像でないとき、前述の様にレンズカバー６１を左右方向及び上下方向に回動させてＰ１〜Ｐ６の内で一番適切な位置へとカメラの向きを調整する。
【００７４】
以上の様にして、ドライブレコーダー１は、運転者の視界を妨げることなく、最適な撮影方向にカメラを向けた状態に設置することができる。
【００７５】
本実施例のドライブレコーダー１は、図８（Ａ）に示す様に、ＳＤカード挿入口４５にマイクロＳＤカード８４を挿入し、撮影したデータをマイクロＳＤカード８４に記録する。こうして記録したデータは、マイクロＳＤカード８４を取り出し、コンピュータ８５に接続したリーダーライター８６に装着することにより、コンピュータ８５にて読み出すことができる。
【００７６】
実施例のドライブレコーダー１は、エンジン始動からエンジン停止までの映像をマイクロＳＤカード８４に常時録画する構成となっている。その録画方法は、図８（Ｂ）に示す様に、設定により最大１５分を１ファイルとするファイルに分割されつつ記録され、記録時間がカード容量を越える場合は、古いファイルから順に、ファイル単位で上書きされる構成となっている。
【００７７】
実施例のドライブレコーダー１は、図８（Ｃ）に示す様に、常時録画中に「ＲＥＣ」ボタンを押すことで、設定されたファイル単位の映像をマイクロＳＤカードの「ＳＷＥＶＴ」フォルダに、上書き禁止ファイルとして移動する「ワンタッチ録画」も実行可能な構成となっている。
【００７８】
実施例のドライブレコーダー１は、「動画記録モード」を選択することにより、ビデオカメラのように連続して動画を記録することができる構成となっている。動画記録モードにおいては、図９（Ａ）に示す様に、［１］動画記録モードアイコン、［２］ファイル分割時間、［３］ファインダー、［４］ズーム倍率、［５］日付、［６］時刻、［７］記録時間／記録可能時間、［８］解像度、［９］ファイルプロテクトアイコン、［１０］マイクロＳＤアイコン、［１１］記録マーク、が液晶ディスプレイ１３に表示される（図中の丸数字参照。）。
【００７９】
ここで、［７］記録時間／記録可能時間は、記録時には現在の映像の記録時間を、記録停止時には現在の設定での記録可能時間を表示するものである。また、［９］ファイルプロテクトアイコンは、前述したワンタッチ録画されたファイルに表示される。［１０］マイクロＳＤアイコンはマイクロＳＤカードが挿入されていることを意味し、［１１］記録マークは、動画記録中に点滅表示される。
【００８０】
この動画記録モードにおいて映像を記録する場合、電源がオンになっていることを確認した上で、図９（Ｂ）に示す様に、「ＭＯＤＥ  ＯＫ」ボタンを押して動画記録モードに変更し、「ＲＥＣ」ボタンを押して動画記録を開始する。なお、動画記録中のファインダーを消すこともでき、その場合は、動画記録中のファインダーが表示されているときに、「ＭＯＤＥ  ＯＫ」ボタンを押すこととしている。
【００８１】
次に、動画記録モードにおける設定の変更について説明する。図１０（Ａ）に示す様に、「ＭＥＮＵ」ボタンを押して動画記録を停止し、「ＭＯＤＥ  ＯＫ」ボタンを押して動画記録モードを選択し、「ＭＥＮＵ」ボタンを押して動画記録モードの設定メニューを表示する。設定メニューは、図１０（Ｂ）に示す画面となる。
【００８２】
「解像度」は、１０８０Ｐ（１９２０×１０８２）、１０８０Ｐ（１４４０×１０８０）、７２０Ｐ（１２８０×７２０）、ＶＧＡ（６４０×４８０）、ＱＶＧＡ（３２０×２４０）の中から解像度を選択することができる。初期設定は、７２０Ｐである。
【００８３】
「録画ファイル構成」は、５分単位、１０分単位、１５分単位の中から、動画ファイルを設定した長さで分割保持する時間を選択することができる。初期設定は、５分単位である。
【００８４】
「音声録画」、オフ、オンを切り換えることができる。初期設定はオンである。「常時録画上書き」も、オフ、オンを切り換えることができる。上書きオンの設定においてマイクロＳＤカードの容量が不足しているときは、前述の様に、古いファイルを１ファイル単位で消去して新しいファイルを保存する動作が実行される。初期設定はオンである。
【００８５】
なお、設定項目の選択には、「∧  ＶＯＬ＋」「∨  ＶＯＬ−」ボタンを使用する。これらのボタンは、値の増加、減少にも用いる。設定項目を決定するには、「ＭＯＤＥ  ＯＫ」ボタンを押す。「ＭＥＮＵ」ボタンを押すことにより、設定画面から抜けて設定画面の前のモード（例えば、動画録画モード）へと戻る。
【００８６】
次に、システム設定についての設定の変更について説明する。図１１（Ａ）に示す様に、「ＭＥＮＵ」ボタンを押して動画記録を停止し、「ＭＯＤＥ  ＯＫ」ボタンを押して動画記録モードを選択し、「ＭＥＮＵ」ボタンを押して動画記録モードの設定メニューを表示し、もう一度「ＭＯＤＥ  ＯＫ」ボタンを押してシステム設定メニューを表示する。システム設定メニューは、図１１（Ｂ）に示す画面となる。
【００８７】
システム設定メニューには、「日／時刻」、「操作音」、「フリッカレス機能」、「デフォルト設定」、「バージョン」があり、動画記録モードの設定変更の際と同じく、「∧  ＶＯＬ＋」「∨  ＶＯＬ−」ボタン、「ＭＯＤＥ  ＯＫ」ボタンを用いて所望の項目を選択して設定を変更する。なお、「操作音」は初期設定オンであり、オフに切り換えることができる。また、フリッカレス機能は、使用している地域の商用周波数に合わせるためのもので、東日本：５０Ｈｚ，西日本：６０Ｈｚの選択が可能となっている。初期設定は、６０Ｈｚである。
【００８８】
「日／時刻」の設定においては、図１１（Ｃ）に示す画面において、「∧  ＶＯＬ＋」「∨  ＶＯＬ−」ボタン、「ＭＯＤＥ  ＯＫ」ボタンを用いて、変更したい項目及び数値の増減を行う。
【００８９】
実施例のドライブレコーダー１は、前述の「動画記録モード」の他に、「静止画記録モード」を選択することもできる構成となっている。「静止画記録モード」を選択することにより、デジタルカメラのように静止画を撮影することができる。
【００９０】
静止画記録モードにおいては、図１２（Ａ）に示す様に、［１］静止画記録モードアイコン、［２］ファインダー、［３］ズーム倍率、［４］撮影可能枚数、［５］マイクロＳＤアイコン、が液晶ディスプレイ１３に表示される（図中の丸数字参照。）。
【００９１】
ここで、［４］撮影可能枚数は、残りのマイクロＳＤカードの容量で圧英可能な静止画枚数を表示するものである。［３］ズーム倍率は、１．０倍〜４．０倍の範囲となっており、「∧  ＶＯＬ＋」「∨  ＶＯＬ−」ボタンで増減することができる。なお、電源オフや他のモードへの変更によって１．０倍に戻る構成となっている。
【００９２】
この静止画記録モードにおいて静止画を記録する場合、電源がオンになっていることを確認した上で、図１２（Ｂ）に示す様に、動画記録中のときは「ＭＥＮＵ」ボタンを押して動画記録を停止し、「ＭＯＤＥ  ＯＫ」ボタンを押して静止画記録モードに変更し、「ＲＥＣ」ボタンを押して静止画記録を開始する。本実施例では、静止画の解像度は、２５９２×１９４４の固定としている。
【００９３】
次に、記録ファイルの再生について説明する。図１３（Ａ）に示す様に、「ＭＥＮＵ」ボタンを押して動画記録を停止し、「ＭＯＤＥ  ＯＫ」ボタンを押して再生モードに変更する。その後、「∧  ＶＯＬ＋」「∨  ＶＯＬ−」ボタンで記録ファイルを選び、「ＲＥ
Ｃ」ボタンを押して再生する。動画再生画面は、図１３（Ｂ）に示す画面となる。静止画再生画面は、図１３（Ｃ）に示す画面となる。
【００９４】
動画再生画面には、図１３（Ｂ）に示す様に、［１］動画アイコン、［２］記録映像、［３］動画再生操作アイコン、［４］ファイル番号、［５］ファイル解像度、［６］記録日付、［７］記録時刻、［８］ファイルプロテクトアイコン、が液晶ディスプレイ１３に表示される（図中の丸数字参照。）。
【００９５】
静止画再生画面には、図１３（Ｃ）に示す様に、［１］静止画アイコン、［２］記録画像、［３］操作アイコン、［４］ファイル番号、［５］ファイル解像度、［６］記録日付、［７］記録時刻、［９］記録日時、が液晶ディスプレイ１３に表示される（図中の丸数字参照。）。なお、［９］記録日時は、記録ファイルに書き込まれた記録日時である。
【００９６】
次に、再生モードの設定の変更について説明する。図１４（Ａ）に示す様に、「ＭＥＮＵ」ボタンを押して動画記録を停止し、「ＭＯＤＥ  ＯＫ」ボタンを押して再生モードを選択する。もう一度「ＭＥＮＵ」ボタンを押して、再生モードの設定メニューを表示する。再生モードの設定メニューは、図１４（Ｂ）に示す画面となる。
【００９７】
再生モードにおける設定項目は、「音量」、「消去」、「フォーマット」となっている。「音量」は、記録ファイルの再生音量や、操作音、起動音の設定をするものであり、オフ、１〜８の中から設定することができる。初期設定は、６としている。「消去」は、記録ファイルの削除をするものであり、現在のファイル削除の他に全ファイル消去も選択することができる。なお、上書き禁止ファイルは消去できない。「フォーマット」は、マイクロＳＤカードの初期化である。「フォーマット」を実行すると、上書き禁止ファイルも消去される。
【００９８】
マイクロＳＤカードを初期化する場合、「∧  ＶＯＬ＋」「∨  ＶＯＬ−」ボタンを操作して、図１４（Ｃ）に示す様に「フォーマット」を選択した上で「ＭＯＤＥ  ＯＫ」ボタンを押す。すると、図１４（Ｄ）に示す様に、フォーマット画面に切り替わる。この画面で、「ＳＤカード」を選択して「ＭＯＤＥ  ＯＫ」ボタンを押すと、図１４（Ｅ）に示す様に、確認メッセージの画面に切り替わる。「∨  ＶＯＬ−」ボタンを操作して、「確認」を選択した上で「ＭＯＤＥ  ＯＫ」ボタンを押すことにより、初めて、フォーマットが開始される。
【００９９】
以上説明した様に、本実施例によれば、特に、図１５に示す様に、カメラレンズへの光入射角を左へ２０°、右へ２０°、下へ１０°変更することができる。これにより、ルームミラーに取り付け、ルームミラーの角度を調整した後に、さらに、カメラレンズの向きを変更することにより、最適な撮影方向を設定することができる。
【０１００】
しかも、この作業は、運転席側で実施できるから、ルームミラーの調整に引き続き運転者が容易に実行することができる。そして、任意に角度が変わるのではなく、Ｐ１〜Ｐ６の中から選択する形で角度調整を行うので、角度調整作業を迅速かつ容易に実行することができる。このとき、レンズ体がしっかりと固定されたことは、クリック動作を感じることによって運転者は容易に理解する。
【０１０１】
また、ハーフミラーの背後の液晶ディスプレイに画像を表示させながら、レンズの向きを調整できるので、確実な作業を行うことができると共に、液晶ディスプレイも運転席側であるから、手元を見たりしながら画面を見ることができる。
【０１０２】
以上、発明を実施するための実施例を説明したが、本発明は、これらに限定されるものではなく、その要旨を逸脱しない範囲内における種々の変更が可能である。
【産業上の利用可能性】
【０１０３】
本発明は、車両の事故などの記録を行うための車載機器として利用することができる。
【符号の説明】
【０１０４】
１・・・ドライブレコーダー、１１・・・ハーフミラー、１２・・・操作ボタン、１３・・・液晶ディスプレイ、１７・・・スピーカ、１８・・・マイク、２０・・・本体ケース、２１・・・ボトムケース、２１ｄ・・・下裏突起、２２・・・トップケース、２２ａ・・・表示窓、２４・・・逆Ｌ型金具、２４ａ・・・突起部分、２５・・・コイルバネ、３０・・・カメラユニット、４２・・・ＤＣジャック、４５・・・ＳＤカード挿入口、５１・・・上クランパ、５２・・・下クランパ、６０・・・レンズ体、６１・・・レンズカバー、６２・・・カメラ本体、６３・・・プリント配線基板、６４Ｌ，６４Ｒ・・・回動軸、６５Ｌ，６５Ｒ・・・レバー部、６６Ｌ，６６Ｒ・・・半球状凸部、６７・・・レンズ枠、７０・・・レンズホルダ、７１・・・レフト部材、７２・・・ライト部材、７３・・・ホールド部、７４・・・取り付けアーム部、７５Ｌ，７５Ｒ・・・スライド溝、７６Ｌ，７６Ｒ・・・半球状凹入部、７７・・・レンズ窓、８１・・・ルームミラー、８２・・・シガーライターソケット、８３・・・電源コード、８４・・・マイクロＳＤカード、８５・・・コンピュータ、８６・・・リーダーライター。
【図２】
2014229049.tif 000003
【図３】
2014229049.tif 000004
【図４】
2014229049.tif 000005
【図５】
2014229049.tif 000006
【図１５】
2014229049.tif 000007
【図１】
2014229049.tif 000008
【図６】
2014229049.tif 000009
【図７】
2014229049.tif 000010
【図８】
2014229049.tif 000011
【図９】
2014229049.tif 000012
【図１０】
2014229049.tif 000013
【図１１】
2014229049.tif 000014
【図１２】
2014229049.tif 000015
【図１３】
2014229049.tif 000016
【図１４】
2014229049.tif 000017
【図１６】
2014229049.tif 000018